(57)【特許請求の範囲】
【請求項１】
シーツや布団包布のような大面積の布類（Ｓ）の一辺の両端角部（Ｓａ，Ｓａ）をそれぞれ掴持した状態で所定高位置まで吊上げ、その吊上げ布類の各角部（Ｓａ，Ｓａ）を左右に離間させて布類（Ｓ）を機体幅方向の定位置において吊上げ状態で展張させた後、その展張吊上げ布類（Ｓ）を該布類背面に摺接する左右一対の拡張ベルト（６１，６１）でそれぞれ左右外側に拡張させながら上方に引き上げて、該布類（Ｓ）を展張状態のまま次工程側に搬送させるようにした布類展張搬送方法であって、
前記展張吊上げ布類（Ｓ）の左右側縁部（Ｓｄ，Ｓｄ）が正規の位置で上方に引き上げられているときには、前記両拡張ベルト（６１，６１）を相互に等速の所定スピードで駆動させ、
前記展張吊上げ布類（Ｓ）の左右各側縁部（Ｓｄ，Ｓｄ）の何れか一方が所定幅だけ左右外側に位置ずれしたときには、その外側位置ずれ側縁部（Ｓｄ′）が位置する側の拡張ベルト（６１）の駆動スピードを停止又は減速させて、他方の拡張ベルト（６１）の布類背面外側拡張作用により位置ずれ側縁部（Ｓｄ′）の位置修正を行い、
前記位置ずれ側縁部（Ｓｄ′）が正常位置に戻された時点で、停止又は減速させていた前記拡張ベルト（６１）の駆動スピードを元の所定スピードに戻すように制御する、
ことを特徴とする布類展張搬送方法。
【請求項２】
シーツや布団包布のような大面積の布類（Ｓ）の一辺の両端角部（Ｓａ，Ｓａ）をそれぞれ掴持した状態で所定高位置まで吊上げ、その吊上げ布類の各角部（Ｓａ，Ｓａ）を左右に離間させて布類（Ｓ）を機体幅方向の定位置において吊上げ状態で展張させた後、その展張吊上げ布類（Ｓ）を該布類背面に摺接する左右一対の拡張ベルト（６１，６１）でそれぞれ左右外側に拡張させながら上方に引き上げて、該布類（Ｓ）を展張状態のまま次工程側に搬送させ得るようにした布類展張搬送機であって、
前記展張吊上げ布類（Ｓ）の左右各側縁部（Ｓｄ，Ｓｄ）のそれぞれ近傍位置で前記拡張ベルト（６１）の設置高さ付近に、前記展張吊上げ布類（Ｓ）の左右側縁部（Ｓｄ，Ｓｄ）が正規の位置から所定幅だけ左右外側に位置ずれしたことを検出することができる左右一対のセンサー（１４，１４）を設置し、
さらに該各センサー（１４，１４）からの検出信号を受けて前記各拡張ベルト（６１，６１）の駆動スピードを制御するコントローラ（８）を備えているとともに、
該コントローラ（８）は、前記各センサー（１４，１４）が前記展張吊上げ布類（Ｓ）の左右側縁部（Ｓｄ，Ｓｄ）の位置ずれを検出しない状態では前記両拡張ベルト（６１，６１）を所定の等スピードで駆動させ、左右何れかのセンサー（１４）が前記布類側縁部（Ｓｄ）の位置ずれを検出している間は当該検出側センサー（１４）が位置する側の拡張ベルト（６１）の駆動スピードを停止又は減速させ、さらに両センサー（１４，１４）が布類左右側縁部（Ｓｄ，Ｓｄ）の位置ずれを解消したと判断した時点で停止又は減速させた前記拡張ベルト（６１）の駆動スピードを元の所定スピードに戻すように制御するようにしている、
ことを特徴とする布類展張搬送機。
【請求項３】
請求項２において、
左右一対のセンサー（１４，１４）として、展張吊上げ布類（Ｓ）の左右各側縁部（Ｓｄ，Ｓｄ）のそれぞれ左右内外に跨がる所定長さ範囲に、左右に所定小間隔をもって複数個ずつ並置された複数センサー（１４ａ，１４ａ・・）を使用している、
ことを特徴とする布類展張搬送機。
【請求項４】
請求項２において、
各拡張ベルト（６１，６１）に対面する位置に展張吊上げ布類（Ｓ）の左右外側部寄り前面（Ｓｃ，Ｓｃ）をそれぞれ各拡張ベルト（６１，６１）側に押付ける接触部材（７１）を有した左右一対の前面押付装置（７，７）を配置し、
さらに前記各接触部材（７１，７１）は、左右進退装置（７２）により展張吊上げ布類（Ｓ）の左右各側縁部（Ｓｄ，Ｓｄ）から外側に退避する退避位置と展張吊上げ布類（Ｓ）の左右外側部寄り前面（Ｓｃ，Ｓｃ）に対面する位置との間で左右移動でき且つ展張吊上げ布類（Ｓ）の左右幅に対応してそれぞれ展張吊上げ布類（Ｓ）の左右外側部寄り前面（Ｓｃ，Ｓｃ）に対面する位置に位置調整し得るようにしているとともに、
前記各接触部材（７１，７１）にそれぞれ布類側縁部検出用のセンサー（１４，１４）を取付けて、該各センサー（１４，１４）がそれぞれ各接触部材（７１，７１）とともに左右移動するようにしている、
ことを特徴とする布類展張搬送機。
【発明の詳細な説明】
【技術分野】
【０００１】
本願発明は、シーツや布団包布のような大面積の布類を吊上げ状態で展張させ、その展張吊上げ状態の布類を次工程側に搬送させるための布類展張搬送方法及び布類展張搬送機に関するものである。尚、以下の説明では、展張吊上げ状態の布類を単に展張吊上げ布類ということがある。
【背景技術】
【０００２】
ランドリー工場においては、シーツや布団包布のような大面積布類を洗濯・乾燥後にプレス機でプレスした後、折畳み機で折畳む作業が行われるが、その次工程装置（以下、プレス機及び折畳み機）に布類を供給する際には、予め布類をきれいに展張させておく必要がある。
【０００３】
ところで、シーツや布団包布のような大面積の布類を展張させるとともに、その展張布類を次工程側に搬送させ得るようにした布類展張搬送機として、例えば特開平７−５４２６２号公報（特許文献１）に示されるものがある。この公知例の布類展張搬送機は、図１６〜図１８に示すように、布類Ｓの一辺の両端角部Ｓａ，Ｓａを左右の吊上チャック１１０，１１０で掴持し、所定高位置において各吊上チャック１１０，１１０を左右離間方向に移動させることによって、布類Ｓを展張吊上げ状態で保持し得るようになっている。尚、図１６の公知例では、展張すべき布類Ｓとして、中央部に丸ぐり部Ｔを有する額縁包布が採用されている。
【０００４】
又、この公知例の布類展張搬送機では、図１６に示す展張吊上げ状態の布類Ｓを、図１７に示すように各吊上チャック１１０から受渡し装置１０４の受取チャック１４０（符号１４０′のようにチャックが閉じる）で受け取り（布類が図１７のＳ1の状態になる）、続いて図１８に示すように受取チャック１４０が後退する。この状態では、布類Ｓ2の上下中間部付近が送込みローラ１３４に接触する。そして、吸気ボックス１３１内が吸気されるとともに、送込みローラ１３４が布類送込み方向に回転して、布類Ｓ2の下半部を符号Ｓ3で示す状態を経て符号Ｓ4で示すように吸気ボックス１３１内に吸引する（所定タイマー後、吸気ボックス１３１内の吸気は停止する）。その後、コンベア（吸着コンベア）１５１が走行するとともに受取チャック１４０が開放し、布類上縁部が符号Ｓ4ｂで示すようにコンベア１５１の始端部（水平部）上に移乗する。そして、コンベア１５１が走行することによって、布類Ｓ4の下部側が順次引上げられていき、該布類がコンベア１５１によって次工程（プレス工程を経て折畳み工程）側に搬送される。
【０００５】
ところで、布類が展張吊上げ状態で、図１８のように布類Ｓ4の下部側が吸気ボックス１３１内に吸引される（布類の下部側にテンションがかかる）と、布類Ｓ4はかなりの展張状態になるものの、布類Ｙに小皺や波打ち部分（図１６の符号Ｙ）が残ることがある。そこで、この公知例の布類展張搬送機では、コンベア１５１の始端部の直下近傍で展張吊上げ布類Ｓ4の背面側に左右一対の布類背面拡張装置１０６，１０６を設けている。この各布類背面拡張装置１０６，１０６は、図１６に示すように左右にそれぞれ横向き姿勢で拡張ベルト１６１，１６１を有している。この各拡張ベルト１６１，１６１は、それぞれ前面側が左右外向きに走行するようになっている。又、各拡張ベルト１６１，１６１は、多数の小孔をあけた通気性のあるものを使用しており、該各拡張ベルト１６１，１６１の背面側に設けた吸気ボックス１６３内を吸気することにより、各拡張ベルト１６１，１６１の前面に布類の背面を吸引させ得る機能を有している。
【０００６】
そして、この各布類背面拡張装置１０６，１０６は、吸気ボックス１６３内が吸気されるとともに各拡張ベルト１６１，１６１の前面がそれぞれ左右外向きに走行し、そのとき布類Ｓ4の背面が各拡張ベルト１６１，１６１の前面に接触（摺接）しながら引き上げられていき、該布類を順次左右各外方に拡張させるように機能する。このように、左右の各拡張ベルト１６１，１６１を布類背面に摺接させながら展張吊上げ布類を引き上げるようにすると、該布類をきれいに展張させるのに非常に有効である。
【０００７】
ところで、図１６及び図１８に示すように、展張吊上げ布類Ｓ4の背面に左右の各拡張ベルト１６１，１６１が摺接して該展張吊上げ布類を左右に拡張させる際に、該布類背面に対して各拡張ベルト１６１，１６１による外側引張力が均等である場合には、該展張吊上げ布類が左右に偏位することなく正常姿勢（布類側縁部Ｓｄ，Ｓｄが鉛直姿勢）のまま引き上げられてコンベア１５１上を搬送されるときに、図１９に実線図示（符号Ｓ）するように布類の各側縁部Ｓｄ，Ｓｄがコンベア１５１の搬送方向Ｐと平行に向く姿勢で後続工程側（プレス工程を経て折畳み工程）に搬送される。そして、搬送される布類Ｓが図１９に実線図示するように正常姿勢であると、折畳み工程において所定小面積まできれいに（線対称状態で）折畳むことができる。尚、折畳み工程では、展張布類の短辺側及び長辺側を複数回ずつ折畳んで所定小面積の折畳み布類を完成させる。
【０００８】
【特許文献１】特開平７−５４２６２号公報
【発明の開示】
【発明が解決しようとする課題】
【０００９】
ところで、上記のように左右の各拡張ベルト１６１，１６１を布類背面に摺接させながら展張吊上げ布類を引き上げるようにしたものでは、該各拡張ベルト１６１，１６１による外側引張力が常に均等であれば布類を比較的正常姿勢で引き上げることができるが、ときには各拡張ベルト１６１，１６１による外側引張力に差が生じることがある。この各拡張ベルト１６１，１６１による布類背面に対する外側引張力に差が生じる原因としては、各拡張ベルト１６１，１６１に対する吸気ボックス１６３からの吸引力の差や、各拡張ベルト表面の摩擦力の差、等が考えられる。
【００１０】
そして、各拡張ベルト１６１，１６１による外側引張力に差がある状態で展張吊上げ布類がコンベア１５１側に引き上げられると、該引き上げ布類が、図１６に鎖線図示（符号Ｓ′）するように拡張ベルトによる引張力が強い側に漸次偏位しながら引き上げられるようになり（布類側縁部が符号Ｓｄ′のようにずれる）、コンベア１５１上に引き取られたときには該布類が図１９に鎖線図示（符号Ｓ′）するように平行四辺形になる。即ち、この場合は、布類の左右各側縁部Ｓｄ′，Ｓｄ′がコンベア１５１の搬送方向Ｐとは非平行状態で搬送される。
【００１１】
このように、コンベア１５１上に移乗された布類が平行四辺形（図１９の符号Ｓ′）のままで折畳み工程まで搬送されると、端縁がきれいに揃わない状態で折畳まれてしまい、折畳み状態での見映えが悪くなるとともに、客先から苦情が出る原因になる。
【００１２】
そこで、本願発明は、上記のように布類拡張用に左右の拡張ベルトを使用した布類展張搬送機において、各拡張ベルトによる外側引張力に差がある場合であっても、展張吊上げ布類を常に正常姿勢（正確な長方形のまま）で搬送コンベア上に移乗させ得るようにすることを目的としている。
【課題を解決するための手段】
【００１３】
本願発明は、上記課題を解決するための手段として次の構成を有している。
【００１４】
［本願請求項１の発明］
本願請求項１の発明は、洗濯・乾燥後のシーツや布団包布のような大面積布類をきれいに展張して後送させるための布類展張搬送方法を対象にしている。
【００１５】
この請求項１の布類展張搬送方法は、シーツや布団包布のような大面積の布類の一辺の両端角部をそれぞれ掴持した状態で所定高位置まで吊上げ、その吊上げ布類の各角部を左右に離間させて布類を機体幅方向の定位置において吊上げ状態で展張させた後、その展張吊上げ布類を該布類背面に摺接する左右一対の拡張ベルトでそれぞれ左右外側に拡張させながら上方に引き上げて、該布類を展張状態のまま次工程側に搬送させるようにしたものである。
【００１６】
この請求項１の布類展張搬送方法は、後述する請求項２の布類展張搬送機を使用して行うものであるが、この種の布類展張搬送機では、機枠前部の作業位置に投入装置が設置されており、該投入装置の各投入チャックに布類の一辺（長辺）の両端角部を掴持させた後、スタートボタンを押すと、各投入チャックが布類各角部を掴持したまま上動し、該布類各角部を機枠上部の中央位置で待機している左右一対の受取チャックに受け渡し、該各受取チャックを左右動装置で左右に離間させ得るようになっている。そして、布類各角部を掴持した両受取チャックを左右に離間させたときの布類が展張吊上げ布類となる。
【００１７】
又、この布類展張搬送方法で使用される布類展張搬送機には、展張吊上げ布類の背面側に該布類背面側を左右外側に拡張させる左右一対の拡張ベルトを有している。この各拡張ベルトは、展張吊上げ状態にある布類の背面側で該展張吊上げ布類の上部寄り位置において、該展張吊上げ布類の幅中央部から左右に振り分けた位置に設置されている。又、該各拡張ベルトは、前面がほぼ鉛直面になる左右横長姿勢で設置されており、それぞれ個別のモータでベルト前面がそれぞれ左右外方向に走行するように駆動される。尚、この各拡張ベルトは、その前面に布類背面を吸引させ得る吸気機能を備えたものが好ましい。
【００１８】
そして、上記両受取チャックで吊上げ展張された布類は、その上辺部が搬送コンベアの始端部上に受け渡され、そのとき布類背面が左右の拡張ベルトの前面に接触しながら上方に引き上げられるようになる。
【００１９】
又、この布類展張搬送方法では、展張吊上げ布類の左右各側縁部の位置を検出する左右一対のセンサーと、該各センサーからの検出信号に基いて各拡張ベルトの駆動スピードを個別に制御するコントローラとを使用する。
【００２０】
そして、本願請求項１の布類展張搬送方法では、展張吊上げ布類の上方引き上げ時に、コントローラにより各拡張ベルトを次のように制御するようにしている。
【００２１】
まず、展張吊上げ布類の左右側縁部が正規の位置（即ち、展張吊上げ布類の左右各側縁部が左右展張時の布類の左右幅中心位置から左右に等距離にある状態）で上方に引き上げられているときには、両拡張ベルトを相互に等速の所定スピードで駆動させる。尚、両拡張ベルトを等速で駆動させるのは通常の運転方法であり、この場合、通常は布類背面に対して両拡張ベルトによる外側引張力が均等にかかり易いが、ときには（各拡張ベルト側の吸引力に差があるとき、各拡張ベルト表面の摩擦力に差があるとき等には）両拡張ベルトによる外側引張力に差が生じることがある。そして、該各拡張ベルトの外側引張力に差が生じると、展張吊上げ布類における拡張ベルトに接触している部分が、該外側引張力の強い側に偏位するようになる。
【００２２】
そして、展張吊上げ布類の左右側縁部の何れか一方が所定幅だけ左右外側に位置ずれしたときには、その外側位置ずれ側縁部が位置する側の拡張ベルトの駆動スピードを停止又は減速させて、他方の拡張ベルトの布類背面外側拡張作用により位置ずれ側縁部の位置修正を行う。即ち、拡張ベルトの駆動スピードを停止又は減速させると、その拡張ベルトによる布類に対する外側引張力が無くなるか小さくなり、他方の拡張ベルトによる外側引張力がそのままであるので、位置ずれ側縁部の位置修正（中央戻し）が自動的に行われる。
【００２３】
そして、上記位置修正により、位置ずれ側縁部が正常位置（布類左右側縁部が左右展張時の布類の左右幅中心位置から左右に等距離の位置にある）に戻された時点で、停止又は減速させていた拡張ベルトの駆動スピードを元の所定スピード（他方の拡張ベルトと同スピード）に戻すように制御する。
【００２４】
尚、両拡張ベルトの駆動スピードを等速に戻すと、引き上げられる布類の拡張ベルト接触部分が再度左右に偏位することがあるが、その位置ずれが生じても上記のように直ちに位置修正されるので、布類側縁部が左右小幅範囲で小刻みに蛇行する程度となり、展張布類が搬送コンベア上に移乗されたときには、布類側縁部がコンベア搬送方向と平行な長方形を維持するようになる。
【００２５】
［本願請求項２の発明］
本願請求項２の発明は、上記請求項１の布類展張搬送方法を行うための布類展張搬送機を対象にしている。即ち、この請求項２の布類展張搬送機は、シーツや布団包布のような大面積の布類の一辺の両端角部をそれぞれ掴持した状態で所定高位置まで吊上げ、その吊上げ布類の各角部を左右に離間させて布類を機体幅方向の定位置において吊上げ状態で展張させた後、その展張吊上げ布類を該布類背面に摺接する左右一対の拡張ベルトでそれぞれ左右外側に拡張させながら上方に引き上げて、該布類を展張状態のまま次工程側に搬送させ得るようにしたものである。尚、この請求項２の布類展張搬送機は、同サイズの布類（左右に展張させた布類の左右幅が同じもの）に適用できるものである。
【００２６】
この請求項２の布類展張搬送機には、展張吊上げ布類の左右各側縁部のそれぞれ近傍位置で拡張ベルトの設置高さ付近に、展張吊上げ布類の左右側縁部が正規の位置から所定幅だけ左右外側に位置ずれしたことを検出することができる左右一対のセンサーを設置するとともに、該各センサーからの検出信号を受けて各拡張ベルトの駆動スピードを制御するコントローラを備えている。
【００２７】
そして、該コントローラは、各センサーが展張吊上げ布類の左右側縁部の位置ずれを検出しない状態では両拡張ベルトを所定の等スピードで駆動させる一方、左右何れかのセンサーが布類側縁部の位置ずれを検出している間は当該検出側センサーが位置する側の拡張ベルトの駆動スピードを停止又は減速させ、さらに両センサーが布類左右側縁部の位置ずれを解消したと判断した時点で停止又は減速させた拡張ベルトの駆動スピードを元の所定スピードに戻すように制御するようにしている。
【００２８】
この布類展張搬送機では、上記各構成により、上記請求項１の布類展張搬送方法の場合と同じ機能を達成できる。
【００２９】
［本願請求項３の発明］
本願請求項３の発明は、上記請求項２の布類展張搬送機において、左右一対のセンサーとして、展張吊上げ布類の左右各側縁部のそれぞれ左右内外に跨がる所定長さ範囲に、左右に所定小間隔をもって複数個ずつ並置された複数センサーを使用している。
【００３０】
この請求項３の布類展張搬送機で使用される複数センサーは、左右片側に例えば２０〜５０mm間隔をもって５〜１０個程度並置したものが採用できる。
【００３１】
そして、この請求項３の布類展張搬送機では、展張吊上げ布類の左右側縁部が左右の各センサー（それぞれ複数センサー）のそれぞれ内側（又は外側）から幾つ目のセンサーをＯＮしているかによって、拡張ベルト高さ位置における展張吊上げ布類の左右偏位量を検出でき、その偏位量に基いて、請求項１及び２と同様にコントローラからの信号で左右の各拡張ベルトの駆動スピードを制御する（そのまま等速か、何れか一方を停止又は減速させる）ようになっている。
【００３２】
又、この請求項３の布類展張搬送機では、各側の複数センサーの設置長さ範囲を長くする（個数を多くする）と、処理すべき布類の展張幅が不揃い（サイズの異なる布類が混在している場合）であっても、センサー位置を調整することなくそれぞれのサイズの布類に対応できる。
【００３３】
［本願請求項４の発明］
本願請求項４の発明は、上記請求項２の布類展張搬送機において、各拡張ベルトに対面する位置に、展張吊上げ布類の左右外側部寄り前面をそれぞれ各拡張ベルト側に押付ける接触部材を有した左右一対の前面押付装置を配置している。尚、各前面押付装置は、処理対象布類が布団包布のような２枚重ね部分を有するものに適用されるものである。
【００３４】
各前面押付装置の各接触部材は、左右進退装置により、展張吊上げ布類の左右各側縁部から外側に退避する退避位置と展張吊上げ布類の左右外側部寄り前面に対面する位置との間で左右移動でき且つ展張吊上げ布類の左右幅に対応してそれぞれ展張吊上げ布類の左右外側部寄り前面に対面する位置に位置調整し得るようにしている。即ち、この請求項４の布類展張搬送機では、機枠前面において布類を吊上げ展張させるまでは、左右進退装置により各接触部材をそれぞれ外方の退避位置に退避させているが、布類を機枠前面において吊上げ展張させた直後に各接触部材を展張吊上げ布類の左右外側部寄り前面に対面する位置まで移動させるようになっている。尚、この各接触部材には、展張吊上げ布類の左右外側部寄り前面に接触して該左右外側部寄り前面をそれぞれ強制的に左右外側に拡張させ得るようにした強制拡張部材（例えば拡張ベルト）を使用することが好ましい。
【００３５】
又、この請求項４の布類展張搬送機では、展張吊上げ布類の左右幅を検出する手段を設けていて、該左右幅検出手段からの検出信号に基いて（布類の左右幅に応じて）各接触部材をそれぞれ展張吊上げ布類の左右外側部寄り前面に対面する位置に移動させ得るようになっている。
【００３６】
そして、各接触部材にそれぞれ布類側縁部検出用のセンサーを取付けて、該各センサーがそれぞれ各接触部材とともに左右移動するようにしている。
【００３７】
この請求項４の布類展張搬送機では、各接触部材が展張吊上げ布類の左右外側部寄り前面に接触するので、布団包布のような２枚重ね部分を有する布類であっても、各拡張ベルトと各接触部材とにより布類を表裏両面から展張させることができる。
【００３８】
又、この請求項４の布類展張搬送機では、各接触部材と各センサーとが展張吊上げ布類の左右幅に対応して所定位置に移動するので、左右展張幅の異なる布類（大小サイズの布類）を混在させた状態でも、各接触部材を順次展張吊上げ布類の左右外側部寄り前面の正確位置に自動で対応させ得るとともに、各センサーも順次展張吊上げ布類の左右側縁部の正確位置に自動で対応させることができる。
【発明の効果】
【００３９】
［本願請求項１の発明の効果］
本願請求項１の布類展張搬送方法では、展張吊上げ布類が左右の各拡張ベルトに摺接しながら上方に引き上げられ、展張吊上げ布類の左右各側縁部の何れか一方が所定幅だけ左右外側に位置ずれしたときに、その外側位置ずれ側縁部が位置する側の拡張ベルトの駆動スピードを停止又は減速させることにより、布類の位置ずれを修正することができる。
【００４０】
従って、この請求項１の布類展張搬送方法によれば、左右の拡張ベルトによる外側引張力に差が生じても（拡張ベルト接触部分の布類が一時的に左右に偏位しても）、布類を常に正常な長方形姿勢で次工程側（プレス工程を経て折畳み工程）に供給できるという効果がある。尚、布類の左右側縁部が搬送方向と非平行姿勢（平行四辺形の姿勢）で折畳み工程に供給されると布類端縁が不揃いの状態で折畳まれてしまうが、布類が長方形姿勢であると布類端縁がきれいに揃った状態で折畳むことができる（折畳み精度が良好になる）。
【００４１】
［本願請求項２の発明の効果］
本願請求項２の布類展張搬送機は、上記請求項１の布類展張搬送方法を行うための具体的構成を備えたものであって、この請求項２の布類展張搬送機でも、上記請求項１の効果（布類を常に正常な長方形姿勢で次工程側に供給できるという効果）を達成できる。
【００４２】
［本願請求項３の発明の効果］
本願請求項３の発明は、上記請求項２の布類展張搬送機において、左右の各センサーとして、展張吊上げ布類の左右各側縁部のそれぞれ左右内外に跨がる所定長さ範囲に、左右に所定小間隔をもって複数個ずつの複数センサーを並置したものを使用している。
【００４３】
従って、この請求項３の布類展張搬送機では、上記請求項１の効果のほかに、処理すべき布類の展張幅（サイズ）が不揃いであっても、センサー位置を調整することなくそれぞれのサイズの布類に対応でき、異なるサイズの布類が混在している場合でもそれぞれ正常な長方形姿勢で次工程側に供給できるという効果がある。
【００４４】
［本願請求項４の発明の効果］
本願請求項４の発明は、上記請求項２の布類展張搬送機において、展張吊上げ布類の左右外側部寄り前面をそれぞれ各拡張ベルト側に押付ける接触部材を有した左右一対の前面押付装置を備え、展張吊上げ布類の左右幅に応じて各接触部材を左右進退装置で布類左右外側部寄り前面に対応する位置に位置調整し得るようにするとともに、各接触部材に布類側縁部検出用の各センサーを取付けている。
【００４５】
従って、この請求項４の布類展張搬送機では、上記請求項２の効果に加えて、布団包布のような２枚重ね部分を有する布類であっても、各拡張ベルトと各接触部材とにより布類を表裏両面から展張させることができるとともに、各接触部材と各センサーとが展張吊上げ布類の左右幅に対応して所定位置に移動するので、左右展張幅の異なる布類（大小サイズの布類）を混在させた状態でも、各接触部材及び各センサーを順次展張吊上げ布類の左右外側部寄り前面及び左右側縁部のそれぞれ正確位置に自動で対応させることができるという効果がある。
【実施例】
【００４６】
以下、図１〜図１５を参照して本願の幾つかの実施例を説明すると、図１〜図７には本願請求項１及び２に対応する第１実施例の布類展張搬送機が示され、図８には本願請求項３に対応する第２実施例の布類展張搬送機が示され、図９〜図１５には本願請求項４に対応する第３実施例の布類展張搬送機が示されている。尚、本願各実施例の布類展張搬送機は、シーツのような１枚ものの布類も何ら問題なく展張させることができるが、中央部に丸ぐり部を有する布団包布（額縁包布）のような布類も展張処理できるものである。
【００４７】
［図１〜図７の第１実施例］
第１実施例の布類展張搬送機の基本構成を図１〜図３を参照して説明すると、この第１実施例の布類展張搬送機は、投入装置１と、左右展張装置２と、吸引装置３と、受渡し装置４と、搬送装置５と、布類背面拡張装置６とを有している。尚、この第１実施例では、展張すべき布類Ｓとして１枚もののシーツで大きさが同じものが採用される。
【００４８】
投入装置１は、展張すべき布類Ｓの一辺（長辺）の両端角部Ｓａ，Ｓａを掴持する一対の投入チャック１１，１１を有し、該各投入チャック１１，１１を昇降装置１２（図３）で上下動させ得るようにしたものである。尚、昇降装置１２にはロッドレスシリンダが使用されている。
【００４９】
各投入チャック１１，１１は、人の肩幅程度の間隔で左右に並置されている。又、この各投入チャック１１，１１は、昇降装置１２により投入作業高さとなる低位置（図１、図３の高さ）と布類全体を吊下げ得る高位置（布類の掴持部分を後述の受取チャック２１に受け渡し得る高さ）との間で上下動せしめられる。そして、低位置において、布類の一辺（長辺）の両端角部Ｓａ，Ｓａを各投入チャック１１，１１で掴持させた後（布類が図１の符号Ｓ′の状態となる）、昇降装置１２で受け渡し高さまで上昇せしめられる。
【００５０】
尚、この第１実施例では、投入装置１は左右に２基設けており、何れの投入装置１，１からでも布類を投入することができるようになっている。又、各投入装置１，１は、待機状態では、図１に示すように機枠１０の幅中心から左右に振り分けた各位置に位置しているが、布類掴持後に上動する際には、機枠１０の幅中心位置（定位置）に移動するようになっている。
【００５１】
左右展張装置２は、所定高位置において投入装置１の各投入チャック１１，１１から布類の両端角部Ｓａ，Ｓａをそれぞれ受け取る一対の受取チャック２１，２１を有し、該各受取チャック２１，２１をそれぞれ左右動装置２２，２２で左右方向に移動させ得るようにしたものである。
【００５２】
各左右動装置２２，２２には、それぞれモータ２３，２３が使用されており、該各モータ２３，２３でそれぞれベルト（タイミングベルト）２４，２４を可逆的に走行させ得るようになっている。
【００５３】
各受取チャック２１，２１は、各左右動装置２２，２２のそれぞれのベルト２４，２４に固定されていて、該各ベルト２４，２４をモータ２３，２３で走行させることによって各受取チャック２１，２１が同時に左右近接・離間方向に作動するようになっている。
【００５４】
又、各受取チャック２１，２１は、待機状態では図１及び図２に示すように機枠１０の幅中央部において投入装置１の各投入チャック１１，１１の間隔と同間隔で待機しており、布類の両端角部Ｓａ，Ｓａを受け取った後（図１のＳ″の状態）、左右動装置２２，２２により布類の上辺部Ｓｂが緊張するまで左右外側に移動せしめられる（布類Ｓが図１の展張吊上げ状態となる）。尚、各左右動装置２２，２２のモータ２３，２３は、布類上辺部Ｓｂが緊張した時点（所定以上の負荷がかかった時点）で作動停止するようになっている。
【００５５】
吸引装置３（図３）は、受取チャック２１，２１が左右移動する部分の下方位置に吸気ボックス３１を設けるとともに、該吸気ボックス３１内の空気を吸気ファン３３で吸引し得るものが採用されている。吸気ボックス３１と吸気ファン３３とを連続させる吸気通路３２中には、切換ダンパー３６が設けられており、該切換ダンパー３６が図３に鎖線図示する符号３６′の側に位置するときに、吸気ボックス３１内が吸気ファン３３によって吸引されるようになっている。又、吸気ボックス３１の前壁上端部には、左右２本の送込みローラ３４，３４が設けられている。この各送込みローラ３４，３４は、それぞれモータ３５，３５によって所定タイミングで送込み方向（図３の右回転方向）に回転せしめられる。
【００５６】
そして、この吸引装置３は、布類Ｓが展張吊上げ状態において、送込みローラ３４を送込み方向に回転させるとともに、吸気ボックス３１内を吸引することにより、展張吊上げ状態の布類Ｓの下部側を送込みローラ３４を乗り越えて吸気ボックス３１内に吸引し、そのとき布類の下部側にテンション作用が働いて、展張吊上げ状態の布類Ｓを下方に展張させる機能が発生する。
【００５７】
受渡し装置４は、各受取チャック２１，２１により展張吊上げ状態で支持されている布類Ｓの上縁部を受け取る吸着ボックス４１と、該吸着ボックス４１内を吸気する吸気フアン４２と、吸着ボックス４１を前後に進退させる伸縮シリンダ４３とを有している。吸着ボックス４１の先端部上面（布類受取面）には、多数の小孔を形成しており、該吸着ボックス４１内を吸気ファン４２で吸引することにより、布類受取面に布類上縁部を吸着（保持）させ得るようになっている。そして、この受渡し装置４は、吸着ボックス４１が前位置にある状態で布類受取面に布類上縁部を吸着させた後、該吸着ボックス４１を図３に鎖線図示（符号４１′）する位置まで後退させる間に、該布類上縁部を搬送装置５（吸着コンベア５１）の始端部上に移乗させるように作動する。
【００５８】
搬送装置５は、手前側に多数の小孔を設けた吸着コンベア５１と、その後端部に連続する搬出コンベア５２とを有している。吸着コンベア５１の始端部は、前位置にある吸着ボックス４１の先端部（布類受取面）よりやや後側の直下近傍に位置している。吸着コンベア５１の上面走行部の下面には、吸気ボックス５３が設置されていて、該吸気ボックス５３内を吸気することで、吸着コンベア５１の上面に布類上縁部を吸着させ得るようになっている。
【００５９】
吸着コンベア５１側の吸気ボックス５３内は、上記吸引装置３の吸気ファン３３を共用して、吸引装置３の吸気ボックス３１とは択一的に吸気される。即ち、図３において、切換ダンパー３６が実線図示位置にあるときには、吸引装置３側の吸気ボックス３１内の吸気が停止する一方、吸着コンベア５１側の吸気ボックス５３内がダクト５４を通して吸気され、切換ダンパーが鎖線図示する符号３６′側に切換わると、逆に吸着コンベア５１側の吸気ボックス５３内の吸気が停止する一方、吸引装置３側の吸気ボックス３１内が吸気されるようになっている。
【００６０】
布類背面拡張装置６は、展張吊上げ布類Ｓの背面を左右に展張させるもので、左右一対ある。この各布類背面拡張装置６，６はそれぞれ拡張ベルト６１，６１を有している。
【００６１】
この各拡張ベルト６１，６１は、吸着コンベア５１の始端部より僅かに前側の直下近傍位置において、機枠１０の幅中央部から左右に振り分けた各位置に設置されている。又、該各拡張ベルト６１，６１は、前面がほぼ鉛直面になる左右横長姿勢で設置されており、前面がそれぞれ左右外方向に走行するようにそれぞれモータ６２，６２で駆動される。尚、各拡張ベルト６１，６１のそれぞれ外端部は、展張吊上げ位置にある布類Ｓの左右端部Ｓｄ，Ｓｄよりそれぞれ外側にはみ出す位置まで延出させている。
【００６２】
各拡張ベルト６１，６１は、多数の小孔を設けた通気性のあるベルトを使用している。そして、各拡張ベルト６１，６１の前面走行部の裏側には、それぞれ吸気ボックス６３，６３が配置されており、該吸気ボックス６３，６３内を吸引することにより、拡張ベルト６１の前面に布類の背面を吸着させ得るようにしている。各吸気ボックス６３，６３内は、それぞれダクト６４，６４を介して吸気フアン６５の吸気口にそれぞれ接続されており、該吸気フアン６５の吸気により該各吸気ボックス６３，６３内を吸引し、それによって各拡張ベルト６１，６１の前面走行部の各小孔から周囲の空気を吸引し得るようになっている。尚、この第１実施例では、吸気フアン６５は１台で両方の吸気ボックス６３，６３内を吸気するようにしているが、他の実施例では各吸気ボックス６３，６３ごとに吸気フアン６５を１台ずつ使用してもよい。
【００６３】
この第１実施例の布類展張搬送機の基本的な作動方法を、図４〜図６を併用して説明すると、運転初期状態では、吸引装置３の吸気ファン３３、各背面拡張装置６，６の吸気ファン６５、各拡張ベルト６１，６１の各モータ６２，６２搬送装置５の吸着コンベア５１及び排出コンベア５２等はそれぞれ作動している。
【００６４】
布類を布類展張搬送機に供給するには、作業位置において布類の一辺（長辺）の両端角部を捜し出し、図１に示すようにその両端角部Ｓａ，Ｓａを投入装置１の各投入チャック１１，１１にそれぞれ掴持させる（図１、図４の各符号Ｓ′の状態）。次に各投入チャック１１，１１が布類両端角部Ｓａ，Ｓａを掴持したまま所定高さまで上動して、布類両端角部を上方で待機している各受取チャック２１，２１に受け渡し（図１、図４の符号Ｓ″の状態）、続いて各左右動装置２２，２２により各受取チャック２１，２１を布類上辺部が緊張するまで左右離間方向に移動せさて、布類上辺部Ｓｂを吊上げ状態で左右に展張させる。
【００６５】
次に、展張吊上げ布類が図４の符号Ｓ″の状態から、送込みローラ３４が送込み方向に高速回転するとともに、切換ダンパー３６が鎖線図示（符号３６′）側に切換えられて吸気ボックス３１内の空気が吸引され、布類の下端側が吸気ボックス３１内に吸い込まれる（展張吊上げ布類が図４の符号Ｓ1の状態になる）。このとき、この展張吊上げ布類Ｓ1には、吸気ファン３３の吸引作用により、下方へのテンションがかけられて、該布類が方形状に展張される。
【００６６】
その後、切換ダンパー３６′が実線図示側に切換えられ（吸着コンベア５１の吸気ボックス５３内が吸気される）、各受取チャック２１，２１が開放されて、布類の上辺部分が吸着ボックス４１の先端側上面に吸着・保持される。尚、このとき、布類上辺部分を図示しないブロワーからのエアで吸着ボックス４１の先端側上面に向けて押付けるようにするとよい。続いて、吸着ボックス４１が図５に実線図示する位置を経て鎖線図示位置（符号４１′）まで後退するが、その間に布類上辺部分が吸着コンベア５１上に移乗される（図６の符号Ｓ3の状態）。
【００６７】
そして、その後も吸着コンベア５１が走行していることにより展張吊上げ布類の下部側が順次上方に引き上げられていくが、このとき布類Ｓ3の背面が左右の各拡張ベルト６１，６１の前面（吸引されている）に接触し且つ各拡張ベルト６１，６１の前面がそれぞれ左右外側に走行しているので、布類背面の拡張ベルト接触部分にそれぞれ外側引張力が作用しており、布類Ｓ3がそれぞれ左右外側に拡張されながら上方に引き上げられていく。従って、布類は、吸着コンベア５１及び排出コンベア５２上を搬送されるときには、きれいに（皺のない長方形状に）展張されている。
【００６８】
ところで、この第１実施例の布類展張搬送機で処理される各布類Ｓは、それぞれ同一大きさのものであって、図１に示す展張吊上げ状態では全ての布類の左右幅が常に一定で且つ定位置で吊上げ展張されるようになっている。そして、図６の状態で布類Ｓ3が上方に引き上げられる際に、布類背面に作用する左右各拡張ベルト６１，６１による外側引張力が均等であれば布類を比較的正常姿勢で引き上げることができるが、ときには各拡張ベルト６１，６１による外側引張力に差が生じることがある。この各拡張ベルト６１，６１による布類背面に対する外側引張力に差が生じる原因としては、各拡張ベルト６１，６１に対する吸気ボックス６３からの吸引力の差や、各拡張ベルト表面の摩擦力の差、等が考えられる。
【００６９】
そして、各拡張ベルト６１，６１による外側引張力に差がある状態で展張吊上げ布類が吸着コンベア５１側に引き上げられると、該引き上げ布類が、図７に鎖線図示（符号Ｓ′）するように拡張ベルトによる引張力が強い側に漸次偏位しながら引き上げられるようになり（布類側縁部が符号Ｓｄ′のようにずれる）、吸着コンベア５１及び排出コンベア５２上に引き取られたときには、図２の符号Ｓ′で示すように該布類が平行四辺形になる。即ち、この場合は、布類Ｓ′の左右各側縁部Ｓｄ′，Ｓｄ′がコンベア１５１の搬送方向Ｐと非平行状態で搬送される。
【００７０】
そこで、この第１実施例の布類展張搬送機には、図６に示すように展張吊上げ布類Ｓ3の引き上げ時に、該布類の拡張ベルト接触部分が所定小範囲以上、偏位しないようにすることができる機構を備えている。
【００７１】
即ち、この第１実施例の布類展張搬送機では、図１〜図３に示すように、展張吊上げ布類Ｓの左右各側縁部Ｓｄ，Ｓｄのそれぞれ近傍位置で拡張ベルト６１の設置高さ付近に、展張吊上げ布類Ｓ（定位置で一定大きさ）の左右側縁部Ｓｄ，Ｓｄが正規の位置から所定幅だけ左右外側に位置ずれしたことを検出することができる左右一対のセンサー１４，１４を設置している。
【００７２】
この第１実施例で使用される各センサー１４，１４は、図１に示すように、各受取チャック２１′，２１′で吊上げ展張された布類Ｓの左右各側縁部Ｓｄ，Ｓｄのそれぞれ外側近傍位置（正規の側縁部Ｓｄの位置から例えば２０〜３０mm程度外側の位置）で左右の拡張ベルト６１，６１の直下近傍高さ位置において、展張吊上げ布類Ｓの奥側から手前側に向けて布類側縁部Ｓｄを監視するように設置されている。尚、この各センサー１４，１４間の間隔は、展張吊上げ布類Ｓの左右幅よりやや広いので、布類が左右に偏位しても両センサー１４，１４が同時に布類側縁部を検出することはない。
【００７３】
そして、この各センサー１４，１４は、布類側縁部Ｓｄを検出すると、その検出信号をコントローラ８に入力するようになっているが、コントローラ８では、各センサー１４，１４からの検出信号を受けて各拡張ベルト６１，６１のモータ６２，６２に対して拡張ベルトの駆動スピードを次のように制御するようになっている。
【００７４】
まず、展張吊上げ布類Ｓの左右側縁部Ｓｄ，Ｓｄが正規の位置（即ち、展張吊上げ布類の左右各側縁部が左右展張時の布類の左右幅中心位置から左右に等距離にある状態）で上方に引き上げられているときには、左右の各センサー１４，１４は布類側縁部非検出状態となって、両拡張ベルト６１，６１を相互に等速の所定スピードで駆動させる。尚、両拡張ベルト６１，６１を等速で駆動させるのは通常の運転方法であり、この場合、通常は布類背面に対して両拡張ベルト６１，６１による外側引張力が均等にかかり易いが、ときには両拡張ベルト６１，６１による外側引張力に差が生じることがある。そして、該各拡張ベルト６１，６１の外側引張力に差が生じると、展張吊上げ布類Ｓにおける拡張ベルト６１，６１に接触している部分が、該外側引張力の強い側に偏位するようになる（例えば図７の符号Ｓ′のように偏位する）。
【００７５】
又、展張吊上げ布類の左右各側縁部Ｓｄ，Ｓｄの何れか一方が所定幅だけ左右外側に位置ずれしたとき（例えば図７に鎖線図示する左側側縁部Ｓｄ′）には、その外側位置ずれ側縁部Ｓｄ′が位置する側（左側）の拡張ベルト６１の駆動スピードを停止（又は減速）させて、他方（右側）の拡張ベルト６１の布類背面外側拡張作用により位置ずれ側縁部Ｓｄ′の位置修正を行う。即ち、拡張ベルト６１の駆動スピードを停止（又は減速）させると、その（左側）拡張ベルト６１による布類に対する外側引張力が無くなり（又は小さくなり）、他方（右側）の拡張ベルトによる外側引張力がそのままであるので、位置ずれ側縁部の位置修正（中央戻し）が自動的に行われる。
【００７６】
そして、位置ずれ側縁部Ｓｄ′が正常位置に戻された時点（布類左右側縁部Ｓｄ，Ｓｄが左右展張時の布類の左右幅中心位置から左右に等距離の位置にある）で、停止（又は減速）させていた拡張ベルト（左側）６１の駆動スピードを元の所定スピードに戻すように制御する。
【００７７】
尚、両拡張ベルト６１，６１の駆動スピードを等速に戻すと、引き上げられる布類の拡張ベルト接触部分が再度偏位することがあるが、その位置ずれが生じても上記のように直ちに位置修正されるので、布類側縁部Ｓｄ，Ｓｄが左右小幅範囲で小刻みに蛇行する程度となり、展張布類が吸着コンベア５１及び排出コンベア５２上に移乗されたときには、図２に符号Ｓで示すように正確な長方形を維持するようになる（左右側縁部Ｓｄ，Ｓｄが搬送方向Ｐと平行になる）。
【００７８】
このように、上方に引き上げられていく展張吊上げ布類Ｓに対して左右位置ずれ修正装置（各センサー１４，１４と各拡張ベルト６１，６１の駆動スピードを制御するコントローラ８）を備えていると、左右の拡張ベルト６１，６１による外側引張力に差が生じても（拡張ベルト接触部分の布類が一時的に左右に偏位しても）、布類を常に正常な長方形姿勢で次工程側（プレス工程を経て折畳み工程）に供給でき、折畳み工程において布類端縁がきれいに揃った状態で折畳むことができる（折畳み精度が良好になる）。
【００７９】
［図８の第２実施例］
この第２実施例の布類展張搬送機は、上記第１実施例の布類展張搬送機において、左右一対のセンサー１４，１４として、展張吊上げ布類Ｓの左右各側縁部Ｓｄ，Ｓｄのそれぞれ左右内外に跨がる所定長さ範囲に、左右に所定小間隔をもって複数個ずつ並置された複数センサー１４ａ，１４ａ・・を使用していることが異なる。
【００８０】
左右各側の複数センサー１４ａ，１４ａ・・は、左右片側に例えば２０〜５０mm間隔をもって５〜１０個程度並置したものが採用できる。
【００８１】
又、左右各側の複数センサー１４ａ，１４ａ・・は、それぞれ個別にコントローラ８に接続されており、左右各側において布類側縁部Ｓｄを検出した複数センサー１４ａ，１４ａ・・の個数によって、展張吊上げ布類Ｓにおける拡張ベルト高さ位置での左右偏位量を検出し得るようになっている。
【００８２】
そして、この第２実施例（図８）の布類展張搬送機では、展張吊上げ布類Ｓの左右側縁部Ｓｄ，Ｓｄが左右の各センサー１４，１４（それぞれ複数センサー１４ａ，１４ａ・・）のそれぞれ内側（又は外側）から幾つ目のセンサー１４ａをＯＮしているかによって、拡張ベルト位置における展張吊上げ布類の左右偏位量を検出でき、その偏位量に基いて、第１実施例の場合と同様にコントローラ８からの信号で左右の各拡張ベルト６１，６１の駆動スピードを制御する（そのまま等速か、何れか一方を停止又は減速させる）ようになっている。
【００８３】
又、この第２実施例の布類展張搬送機では、各側の複数センサー１４ａ，１４ａ・・の設置長さ範囲を長くする（個数を多くする）と、処理すべき布類の展張幅が不揃い（サイズの異なる布類が混在している場合）であっても、センサー位置を調整することなくそれぞれのサイズの布類に対応できる。
【００８４】
尚、この第２実施例におけるその他の構成については、上記第１実施例のものと同じであるので、該第１実施例の説明を援用する。
【００８５】
［図９〜図１５の第３実施例］
この第３実施例の布類展張搬送機では、処理すべき布類Ｓとして中央部に丸ぐり部Ｔを有した布団包布（額縁包布）を採用している。この額縁包布Ｓでは、丸ぐり部Ｔの周囲の生地が２枚重ね状態となっている。そして、丸ぐり部Ｔを有した布類Ｓを展張させる際には、図１に示すように丸ぐり部Ｔが前面側に向く姿勢で吊上げ展張するが、この場合、展張吊上げ布類Ｓにおける丸ぐり部Ｔの外周部分の２枚重ね部分に空気が入って布類前面部分が膨らむことがある。
【００８６】
そこで、この第３実施例の布類展張搬送機には、展張吊上げ布類Ｓの前面をきれいに展張させるための左右一対の前面押付装置７，７を設けている。尚、この左右一対の前面押付装置７，７は、図９〜図１０に示すように同じもの（サーボモータ７２ａは一方のみ）が左右対称形に配置されているが、該前面押付装置７の構成については、図１２〜図１５に示す右側の前面押付装置７で説明する。
【００８７】
図１２〜図１５に示す前面押付装置７は、展張吊上げ布類（図９の符号Ｓの状態）の左右各外側部寄り前面Ｓｃ，Ｓｃに摺接させる強制拡張部材（請求項４における接触部材に相当する）７１と、該強制拡張部材７１を左右に移動させる左右進退装置７２と、強制拡張部材７１を拡張ベルト６１前面にある展張吊上げ布類Ｓの前面Ｓｃから離間する離間位置と展張吊上げ布類の前面Ｓｃに接触する接触位置との間で前後に移動させる接離移動装置７３とを備えている。
【００８８】
強制拡張部材７１には、この第３実施例では、布類前面を摺接により左右外側に拡張させ得る拡張ベルト７５が使用されている。尚、この拡張ベルト７５の大きさは、特に限定するものではないが横長さが４０〜５０cm程度、上下幅が１０cm程度のものでよい。この拡張ベルト７５は、モータ７６によりベルト奥面側が左右外側に走行するように駆動される。又、拡張ベルト７５及びモータ７６は、横長の支持フレーム８１（図１３〜図１５）に装着されていて、後述するように強制拡張部材７１が支持フレーム８１とともに前後及び左右に移動するようになっている。
【００８９】
尚、この第３実施例の説明では、強制拡張部材７１の拡張ベルト７５を前面側拡張ベルトということがあり、背面拡張装置６の拡張ベルト６１を背面側拡張ベルトということがある。
【００９０】
そして、各強制拡張部材７１，７１は、その拡張ベルト（前面側拡張ベルト）７５，７５が各布類背面拡張装置６，６の拡張ベルト（背面側拡張ベルト）６１，６１と同高さ位置に対面した状態で該前面側拡張ベルト７５の走行面がほぼ鉛直面となる姿勢で設置されている。
【００９１】
左右進退装置７２は、図２に示すように単一のサーボモータ７２ａで両強制拡張部材７１，７１を同時に左右逆側に移動させ得るようにしたものである。即ち、この左右進退装置７２は、左右に長い間隔をもった状態で単一ベルト（無端ベルト）７２ｂを巻掛けし、該単一ベルト７２ｂを単一のサーボモータ７２ａで駆動し得るようにしたものである。
【００９２】
左右進退装置７２の単一ベルト７２ｂは、左右の各側部機枠１０，１０に跨がる左右長さを有し、且つ水平面内で走行するように設置されている。そして、この単一ベルト７２ｂは、サーボモータ７２ａにより左右に可逆的に走行せしめられるが、該ベルトの前側走行部分と後側走行部分とは相互に左右逆向きに走行するようになっている。
【００９３】
又、単一ベルト７２ｂには、その前側走行部分と後側走行部分にそれぞれ支持台７４，７４が固定されている。この各支持台７４，７４上には、それぞれ接離移動装置７３，７３が取付けられている。尚、この各支持台７４，７４は、それぞれ横長のガイドレール７７，７７により、左右水平方向に移動するようにガイドされている。
【００９４】
各接離移動装置７３，７３には、それぞれストロークの短い伸縮シリンダが採用されている。尚、以下の説明では、各接離移動装置７３，７３を接離動シリンダということがある。
【００９５】
各接離移動装置（接離動シリンダ）７３，７３のロッド先端には、それぞれ左右各強制拡張部材７１，７１の各支持フレーム８１，８１が連結されている。そして、各接離動シリンダ７３，７３が伸縮動作することにより、各強制拡張部材７１，７１を前後移動させ得るようになっている。即ち、接離動シリンダ７３が伸長状態では、強制拡張部材７１の拡張ベルト７５が、図１３及び図１４に実線図示するように展張吊上げ布類Ｓ（背面側拡張ベルト６１に接触している）の左右外側部寄り前面Ｓｃに対して前側に離間する位置にあり、接離動シリンダ７３が縮小すると、該強制拡張部材７１の拡張ベルト７５が図１４の鎖線図示（符号７５′）及び図１５に示すように上記展張吊上げ布類Ｓの左右外側部寄り前面Ｓｃに接触する位置まで移動するようになっている。
【００９６】
左右各強制拡張部材７１，７１の各支持フレーム８１，８１と各接離移動装置（接離動シリンダ）７３，７３との連結位置は、各支持フレーム８１，８１の左右外端部であり、従って左右各強制拡張部材７１，７１の拡張ベルト７５，７５は、各接離動シリンダ７３，７３の連結位置よりそれぞれ左右内方側に延出するようになっている。このようにすることにより、図１３及び図１５に示すように、強制拡張部材７１が展張吊上げ布類Ｓの左右外側部寄り前面Ｓｃに対面したときに、接離動シリンダ７３の連結部が布類外端部Ｓｄに接触しないようにできる。
【００９７】
左右各側の強制拡張部材７１，７１は、左右進退装置７２により、布類が両受取チャック２１，２１で吊上げ展張されるまでは図９及び図１０に鎖線図示（符号７１′，７１′）するように左右外側の退避位置に移動せしめられており、該布類が吊上げ展張された後、その展張吊上げ布類Ｓが背面側拡張ベルト６１，６１に接触した状態で、図９及び図１０に実線図示（符号７１，７１）するように該展張吊上げ布類Ｓの左右外側部寄り前面Ｓｃ，Ｓｃに対面する対面位置に移動せしめられるようになっている。
【００９８】
ところで、処理すべき布類（額縁包布）Ｓは、子供用や大人用等で大小複数のサイズのものがあり、しかも大人用のものでも顧客によってサイズの異なるものが使用されている。そして、この布類展張搬送機で大小サイズの布類が混在しているものを扱う場合には、図１２に示すように、小サイズの布類Ｓでは、受取チャック２１（左右に一対ある）が実線図示する待機位置から符号２１′で示す鎖線図示位置までの距離Ｌだけ外側移動したときに布類上辺部Ｓｂが緊張し、大サイズの布類Ｓ0では、受取チャック２１が待機位置から符号２１″で示す鎖線図示位置までの距離Ｍだけ外側移動したときに布類上辺部Ｓｂが緊張するようになる。
【００９９】
従って、上記各前面押付装置７，７を使用する場合には、各強制拡張部材７１，７１を外側退避位置から布類サイズに応じた適正位置まで内側に移動させる必要がある。
【０１００】
そこで、この第３実施例の布類展張搬送機では、展張吊上げ布類のサイズ（例えば図１２の小サイズＳや大サイズＳ0）に応じて、各強制拡張部材７１，７１を自動で適正位置まで移動させる機構を備えている。
【０１０１】
即ち、この第３実施例の布類展張搬送機では、各受取チャック２１，２１を左右移動させる左右動装置２２，２２にそれぞれサーボモータ２３，２３を使用している一方、各強制拡張部材７１，７１を左右移動させる左右進退装置７２にサーボモータ７２ａを使用している。そして、各左右動装置２２，２２の各サーボモータ２３，２３で各受取チャック２１，２１を布類上辺部Ｓｂが左右に緊張するまで離間させたときのサーボモータ駆動量データをコントローラ８に入力し、該コントローラ８から左右進退装置７２のサーボモータ７２ａに対して各強制拡張部材７１，７１をサーボモータ駆動量データに対応する移動量だけ移動させるような制御信号を発するようにしている。
【０１０２】
具体的には、次のように作動する。尚、布類の展張前には、各強制拡張部材７１，７１はそれぞれ図９及び図１０に符号７１′，７１′で示すように外方退避位置で且つ手前側離間位置にある。そして、布類の各角部Ｓａ，Ｓａを機枠中央位置で待機している両受取チャック２１，２１で吊上げた状態（布類が図９の符号Ｓ″の状態）から各左右動装置２２，２２（サーボモータ２３，２３）により該両受取チャックを符号２１′，２１′で示すように布類上辺部が緊張するまで左右に離間させたとき（図９の場合は布類Ｓが小サイズで各受取チャック２１，２１が距離Ｌずつ移動する）の各サーボモータ駆動量データをコントローラ８に入力し、そのサーボモータ駆動量データに基いてコントローラ８から左右進退装置７２のサーボモータ７２ａに対して、外方退避位置にある各強制拡張部材７１′，７１′を展張吊上げ布類Ｓの左右外側部寄り前面Ｓｃ，Ｓｃに正確に対面する位置（符号７１，７１の位置）までの距離Ｌ0だけ内方移動させるようにしている。
【０１０３】
又、布類サイズが図１２に符号Ｓ0で示す大サイズのものでは、布類上辺部の展張時に受取チャック２１が符号２１″で示す位置までの距離Ｍだけ移動し、そのときのサーボモータ２３の駆動量データをコントローラ８に入力するとともに、そのサーボモータ駆動量データに基いてコントローラ８から左右進退装置７２のサーボモータ７２ａに対して、外方退避位置にある各強制拡張部材７１′を展張吊上げ布類Ｓ0の左右外側部寄り前面Ｓｃに正確に対面する位置（符号７１″の位置）までの距離Ｍ0だけ内方移動させる。
【０１０４】
尚、各左右動装置２２，２２による各受取チャック２１，２１の移動範囲（例えば図９の各距離Ｌ，Ｌ）は常に同じであり、従ってコントローラ８に入力する上記サーボモータ駆動量データは一方のサーボモータ２３のものだけでもよい。
【０１０５】
そして、各強制拡張部材７１，７１が展張吊上げ布類の左右外側部寄り前面Ｓｃ，Ｓｃに対面した後、各接離移動装置（接離動シリンダ）７３，７３が縮小して、各前面側拡張ベルト７５，７５を図１４の鎖線図示位置（符号７５′）及び図１５に示すように布類外側部寄り前面Ｓｃに接触させる。又、接離動シリンダ７３の縮小作動に前後して、強制拡張部材７１のモータ７６を作動させ、前面側拡張ベルト７５を作動させる（ベルト奥面が左右外側に走行する）。
【０１０６】
又、この第３実施例の布類展張搬送機では、各強制拡張部材７１，７１がそれぞれ布類外側部寄り前面Ｓｃ，Ｓｃに接触した状態で展張吊上げ布類Ｓが上方に引き上げられていき、展張吊上げ布類Ｓの丸ぐり部Ｔの下端縁付近が強制拡張部材７１，７１の高さ位置に差しかかったときに、コントローラ８からの信号で左右進退装置７２（サーボモータ７２ａ）を退避側に作動させて各強制拡張部材７１，７１を布類左右外側部寄り前面Ｓｃ，Ｓｃに摺接させながらそれぞれ退避位置まで移動せしめるようにしている。尚、各強制拡張部材７１，７１を対面位置から退避位置に移動させるタイミングは、例えば展張吊上げ布類の上方引き上げ開始時点から所定タイマー後に（展張吊上げ布類の丸ぐり部の下端縁Ｔａ付近が強制拡張部材７１，７１の高さ位置に差しかかった時点で）コントローラ８からの信号で左右進退装置７２を退避側に作動させるようにしたり、あるいは引き上げられる展張吊上げ布類の下端縁が所定高さ位置を通過するのを検出器で検出して該検出器からの信号で左右進退装置７２を退避側に作動させるようにしたりすることができる。
【０１０７】
この第３実施例の布類展張搬送機では、展張吊上げ布類Ｓを上方に引き上げる際の左右位置ずれ修正装置の一部となる左右の各センサー１４，１４は、それぞれ左右の強制拡張部材７１，７１の各支持フレーム８１，８１の下面に取付けている。この各センサー１４，１４の取付位置は、展張吊上げ布類Ｓの左右幅に対応して各強制拡張部材７１，７１がそれぞれ布類の左右外側部寄り前面Ｓｃ，Ｓｃの所定位置に対面した状態で、図９又は図１２に示すように該各センサー１４，１４が布類側縁部Ｓｄ（又は図１２のＳｄ0）の左右外側の近傍に位置するように位置決めされている。尚、この各センサー１４，１４は、展張吊上げ布類Ｓの前面側から奥方向に向けて布類側縁部Ｓｄを監視するようになっている（図１４の点線矢印参照）。
【０１０８】
又、この各センサー１４，１４からの布類側縁部検出信号は、それぞれコントローラ８に入力されて該コントローラ８からの信号で上記第１実施例の場合と同様に、左右の背面側拡張ベルト６１，６１の駆動スピードを制御するようにしている。
【０１０９】
この第３実施例の布類展張搬送機では、次のように作動する。尚、この第３実施例の布類展張搬送機では、大小サイズが混在した布類（額縁包布）を処理できる。
【０１１０】
作業当初は、左右の各強制拡張部材７１，７１は、それぞれ左右外側の退避位置（符号７１′，７１′の位置）にある。そして、布類（額縁包布）の一辺の両端角部Ｓａ，Ｓａを捜し出して、丸ぐり部Ｔが手前側に向く姿勢で該各角部Ｓａ，Ｓａを投入装置１の各投入チャック１１，１１に掴持させた後（図９の符号Ｓ′）、スタートボタンを押す。すると、第１実施例の場合と同様に、各投入チャック１１，１１が上動して布類両角部Ｓａ，Ｓａをそれぞれ受取チャック２１，２１に受け渡し（図９の符号Ｓ″）、続いて左右動装置２２，２２の各サーボモータ２３，２３が作動して各受取チャック２１，２１を布類上辺部Ｓｂが緊張するまで左右離間方向に移動させて、布類上辺部Ｓｂを吊上げ状態で左右に展張させる。
【０１１１】
このとき、展張される布類（額縁包布）のサイズ（例えば図１２の小サイズ布類Ｓや大サイズ布類Ｓ0）により受取チャック２１の移動距離（図１２の距離Ｌや距離Ｍ）が変化し、それに伴って各左右動装置２２，２２（サーボモータ２３，２３）の駆動量が変化するが、展張された布類ごとにそのサーボモータ駆動量データがそれぞれコントローラ８に入力される。
【０１１２】
その後、第１実施例の場合と同様に、吸引装置３により布類下方部分が吸引・展張された後、受渡し装置４が作動して、布類上辺部が吸着コンベア５１の始端部上に移乗されるが、その直後にコントローラ８からの制御信号で左右進退装置７２のサーボモータ７２ａを強制拡張部材内方移動側に作動させる（サーボモータ７２ａを図２において右回転させる）。このときのコントローラ８からの制御信号（左右進退装置のサーボモータ７２ａに対する指示駆動量）は、先にコントローラ８に入力されているサーボモータ駆動量データ（各受取チャック２１の移動距離データ）に対応して、各強制拡張部材７１，７１を各外方退避位置（７１′の位置）から展張吊上げ布類の左右外側部寄り前面Ｓｃ，Ｓｃに正確に対面させる位置まで移動させるものである。例えば、図１２において、布類上辺部の展張時に受取チャック２１の移動距離がＬの場合（小サイズ布類Ｓの場合）は、コントローラ８からサーボモータ７２ａに対して強制拡張部材７１を距離Ｌ0だけ移動させる制御量の信号を出力し、該受取チャック２１の移動距離がＭの場合（大サイズ布類Ｓ0の場合）は、コントローラ８からサーボモータ７２ａに対して強制拡張部材７１を距離Ｍ0だけ移動させる制御量の信号を出力する。
【０１１３】
このように、布類上辺部の展張時におけるサーボモータ駆動量データに基いてコントローラ８で左右進退装置７２（サーボモータ７２ａ）の作動量を制御するようにすると、布類サイズに拘わらず、毎回自動で且つ各強制拡張部材７１，７１を展張吊上げ布類の左右外側部寄り前面Ｓｃ，Ｓｃに対して常に適正位置に対面させることができる。
【０１１４】
又、各センサー１４，１４は、各強制拡張部材７１，７１と共に左右方向に移動するが、該各強制拡張部材７１，７１の停止位置では、各センサー１４，１４が当該サイズの布類の左右各側縁部Ｓｄ，Ｓｄの外側近傍位置に位置している（図１２において、小サイズ布類Ｓの場合は符号１４の位置となり、大サイズ布類Ｓ0の場合は符号１４″の位置となる）。
【０１１５】
続いて左右の各接離移動装置（接離動シリンダ）７３，７３を縮小させて、図１４の鎖線図示又は図１５に示すように各強制拡張部材７１の前面側拡張ベルト７５をそれぞれ展張吊上げ布類の左右各外側部寄り前面Ｓｃ，Ｓｃに接触させるとともに、各前面側拡張ベルト７５，７５の各モータ７６を作動させて該前面側拡張ベルト７５の奥側面をそれぞれ左右外向きに走行させる。
【０１１６】
この状態では、図１５に示すように、展張吊上げ状態の布類Ｓが左右の各背面側拡張ベルト６１，６１と左右の各前面側拡張ベルト７５，７５とで表裏から軽く挟持され、且つ表裏各側の拡張ベルト６１，７５がそれぞれ左右外向きに走行しているので、展張吊上げ布類Ｓはその表裏各側からそれぞれ左右各外側に引っ張られる作用を受ける。
【０１１７】
そして、その後も吸着コンベア５１が走行していることにより、展張吊上げ布類の下部側が順次上方に引き上げられていくが、その最中に布類の各外側部寄り部分がそれぞれ表裏から各拡張ベルト６１，７５で挟持され、且つ展張吊上げ布類Ｓの背面側が各背面側拡張ベルト６１，６１で順次左右外側に展張される一方、該展張吊上げ布類Ｓの前面側が各前面側拡張ベルト７５，７５で順次左右外側に展張されるので、布類の左右各側部（表裏各生地間）の空気が排除されるとともに、布類の表裏両面が左右に展張される。
【０１１８】
ところで、布類の左右外側部寄り部分が表裏から各拡張ベルト６１，７５で挟持された状態（図１５の状態）では、背面側拡張ベルト６１側が吸引されている関係で、背面側拡張ベルト６１と布類背面との摩擦力が前面側拡張ベルト７５と布類前面との摩擦力より大きくなっている。この場合も、各背面側拡張ベルト６１，６１による外側引張力に差が生じると、布類における背面側拡張ベルト６１に接触する部分が該外側引張力の強い側に偏位することがある。
【０１１９】
そして、上記第１実施例の場合と同様に、左右何れか一方のセンサー１４が布類側縁部Ｓｄを検出すると、その検出信号がコントローラ８に入力されて、該コントローラ８から当該検出側の背面側拡張ベルト６１のモータ６２に対して停止（又は減速）させる信号が発せられ、上記第１実施例の場合と同様に、布類の左右偏位を自動で修正することができる。従って、この第３実施例の布類展張搬送機でも、展張布類を正常な長方形の状態で次工程側に搬送できる。
【０１２０】
又、展張吊上げ布類Ｓの丸ぐり部下縁部Ｔａが前面側拡張ベルト７５，７５の高さ位置付近まで引き上げられた時点で、コントローラ８からの信号で左右進退装置７２のサーボモータ７２ａが退避側に作動し（サーボモータ７２ａが図１０において左回転する）、各前面側拡張ベルト７５，７５を丸ぐり部下縁部Ｔａの左右各外側部寄り位置Ｓｃ，Ｓｃに摺接しながら退避位置（図９、図１０の符号７１′の位置）まで移動させる。このとき、丸ぐり部下縁部Ｔａが摺接により左右各外側に引っ張られ、丸ぐり部の下縁部分が自重で垂れ下がっていても該丸ぐり部下縁部分が確実に緊張状態に伸展する。
【０１２１】
退避位置まで後退した各強制拡張部材は、それぞれ接離移動装置７３が伸長することにより手前側の後退位置（図１０に符号７１′で示す鎖線図示位置）に戻されて、そこで次の布類展張作業時まで待機する。尚、各強制拡張部材７１，７１が退避位置まで戻されたときに、モータ７６がＯＦＦになって、前面側拡張ベルト７５の走行が停止する。
【０１２２】
このように、第３実施例の布類展張搬送機を使用すれば、丸ぐり部Ｔを有した布類（額縁包布）Ｓであっても表裏の各全面をそれぞれきれいに展張させた状態で次工程側に搬送させることができ、しかもサイズの異なる布類が混在していても各強制拡張部材７１，７１を自動で適正位置に位置させることができ、さらに左右位置ずれ修正装置（各センサー１４，１４と各背面側拡張ベルト６１，６１の駆動スピードを制御するコントローラ８）により、各布類を常に正常な長方形姿勢（布類側縁部Ｓｄが搬送方向Ｐと平行）で次工程側に搬送できる。
【図面の簡単な説明】
【０１２３】
【図１】本願第１実施例の布類展張搬送機の正面図である。
【図２】図１のII−II矢視図である。
【図３】図１のIII−III矢視図である。
【図４】図１の布類展張搬送機の作動説明図（図３相当図）である。
【図５】図４からの状態変化図である。
【図６】図５からの状態変化図である。
【図７】図１の布類展張搬送機における布類偏位修正装置の説明図である。
【図８】本願第２実施例の布類展張搬送機の正面図である。
【図９】本願第３実施例の布類展張搬送機の正面図である。
【図１０】図９のＸ−Ｘ矢視図である。
【図１１】図９のＸＩ−ＸＩ矢視図である。
【図１２】図９の右側前面押付装置部分の拡大図である。
【図１３】図１２の平面図である。
【図１４】図１２のＸIV−ＸIV拡大断面図である。
【図１５】図１３の状態から強制拡張部材が布類前面に接触した状態の拡大図である。
【図１６】公知例の布類展張搬送機の正面図である。
【図１７】図１６の布類展張搬送機の作動説明図である。
【図１８】図１７からの状態変化図である。
【図１９】図１６の布類展張搬送機における展張布類の搬送状態説明図である。
【符号の説明】
【０１２４】
１は投入装置、２は左右展張装置、３は吸引装置、４は受渡し装置、５は搬送装置、６は布類背面拡張装置、７は前面押付装置、８はコントローラ、１１は投入チャック、１４はセンサー、１４ａは複数センサー、２１は受取チャック、２２は左右動装置、２３はサーボモータ、６１は背面側拡張ベルト、７１は接触部材（強制拡張部材）、７２は左右動装置、７２ａはサーボモータ、７３は接離移動装置、７５は前面側拡張ベルト、Ｓは布類、Ｓａは布類角部、Ｓｂは布類上辺部、Ｓｃは布類外側部寄り前面、Ｓｄは布類外端部である。
【図１】
0005329122.tif 000002
【図２】
0005329122.tif 000003
【図３】
0005329122.tif 000004
【図４】
0005329122.tif 000005
【図５】
0005329122.tif 000006
【図６】
0005329122.tif 000007
【図７】
0005329122.tif 000008
【図８】
0005329122.tif 000009
【図９】
0005329122.tif 000010
【図１０】
0005329122.tif 000011
【図１１】
0005329122.tif 000012
【図１２】
0005329122.tif 000013
【図１３】
0005329122.tif 000014
【図１４】
0005329122.tif 000015
【図１５】
0005329122.tif 000016
【図１６】
0005329122.tif 000017
【図１７】
0005329122.tif 000018
【図１８】
0005329122.tif 000019
【図１９】
0005329122.tif 000020